【事件の表示】
　特願２０１２−２３３６２５「画像形成装置」拒絶査定不服審判事件〔平成２６年　５月１２日出願公開、特開２０１４−　８６８３６〕について、次のとおり審決する。
【結　論】
　本件審判の請求は、成り立たない。
【理　由】
第１　手続の経緯
　本願は、平成２４年１０月２３日の出願であって、その手続の経緯は以下のとおりである。
手続補正書　　　　　　　　　：平成２７年１０月２１日
拒絶理由通知　　　　　　　　：平成２８年　９月３０日（起案日）
意見書　　　　　　　　　　　：平成２８年１２月　５日
手続補正書　　　　　　　　　：平成２８年１２月　５日
拒絶査定　　　　　　　　　　：平成２９年　４月２８日（起案日）
拒絶査定不服審判請求　　　　：平成２９年　８月　８日
手続補正書　　　　　　　　　：平成２９年　８月　８日
前置審査報告　　　　　　　　：平成２９年１０月２３日
拒絶理由通知（最後）（当審）：平成３０年　３月２３日（起案日）
意見書　　　　　　　　　　　：平成３０年　５月２８日
手続補正書　　　　　　　　　：平成３０年　５月２８日
第２　平成３０年５月２８日付けの手続補正についての補正の却下の決定
［補正の却下の決定の結論］
　平成３０年５月２８日付けの手続補正を却下する。
［理由］
１　平成３０年５月２８日付けの手続補正の内容
　平成３０年５月２８日付けの手続補正（以下、「本件第３補正」という。）は、以下に示すように、平成２９年８月８日付けの手続補正（以下、「本件第２補正」という。）により補正された特許請求の範囲の請求項１ないし１０を、本件第３補正による特許請求の範囲の請求項１ないし１０に補正するとともに、図面における図１５を、本件第３補正による図１５に補正するものである（下線は補正箇所を示す。）。
（本件第３補正前の特許請求の範囲）
　　【請求項１】
　シートに画像を形成する画像形成ユニットを有する画像形成装置であって、
　複数ページの画像データに基づき複数ページの画像をシートの一面に集約してレイアウトするための集約設定を受け付ける処理と、
　画像データに基づく画像にフォーム画像を合成するための合成設定を受け付ける処理と、
　前記集約設定と前記合成設定が指定されたことに基づいて、集約された前記複数ページの画像に跨ってフォーム画像がレイアウトされた合成画像を生成する処理と、
　前記集約設定と前記合成設定が指定されたことに基づいて、集約された前記複数ページのうちの一部のページ内のみにフォーム画像がレイアウトされた合成画像を生成する処理と、
　生成された合成画像に基づいて前記画像形成ユニットに画像形成させる処理と、
　を実行する制御部を有することを特徴とする画像形成装置。
　　【請求項２】
　前記制御部は、前記集約設定と前記合成設定が指定された場合に、集約された前記複数ページの画像に跨ってフォーム画像がレイアウトされた合成画像と、集約された前記複数ページのうちの一部のページ内のみにフォーム画像がレイアウトされた合成画像と、を含む複数の合成画像の中から画像形成に用いる合成画像の選択を受け付けることを特徴とする請求項１に記載の画像形成装置。
　　【請求項３】
　前記制御部は、前記集約設定と前記合成設定が指定されたことに基づいて、集約された前記複数ページのうちの各ページにフォーム画像が合成された合成画像を生成する処理を実行することを特徴とする請求項１又は２に記載の画像形成装置。
　　【請求項４】
　合成するフォーム画像は第１のオブジェクトと第２のオブジェクトを含む複数のオブジェクトを備えることを特徴とする請求項1乃至３のいずれか１項に記載の画像形成装置。
　　【請求項５】
　前記制御部は、前記第１のオブジェクトのレイアウトを変更する操作と前記第２のオブジェクトのレイアウトを変更する操作をそれぞれ受け付けることを特徴とする請求項４に記載の画像形成装置。
　　【請求項６】
　前記制御部は、前記複数ページのうちの第１のページに前記第１のオブジェクトをレイアウトし且つ前記複数ページのうちの第２のページに前記第２のオブジェクトをレイアウトする操作に基づき、集約された前記複数ページの画像に跨ってフォーム画像がレイアウトされた合成画像を生成し、
　前記制御部は、前記複数ページのうちの前記第１のページに前記第１のオブジェクト及び前記第２のオブジェクトをレイアウトする操作に基づき、集約された前記複数ページのうちの一部のページ内のみにフォーム画像がレイアウトされた合成画像を生成することを特徴とする請求項５に記載の画像形成装置。
　　【請求項７】
　前記制御部は、前記複数ページのうちの前記第１のページに前記第１のオブジェクト及び前記第２のオブジェクトをレイアウトする操作を受け付けた後、前記第１のページにおける前記第１のオブジェクト及び前記第２のオブジェクトのレイアウトを他のページに適用する操作に基づき、集約された前記複数ページのうちの各ページにフォーム画像が合成された合成画像を生成する処理を実行することを特徴とする請求項1乃至６のいずれか１項に記載の画像形成装置。
　　【請求項８】
　前記操作はユーザのタッチ動作に基づく操作であることを特徴とする請求項５乃至７のいずれか１項に記載の画像形成装置。
　　【請求項９】
　情報を表示する表示ユニットを有し、
　前記制御部は、合成画像のプレビュー画面を前記表示ユニットに表示させる処理を実行し、前記プレビュー画面の表示中において、前記操作を受け付けることを特徴とする請求項５乃至８のいずれか1項に記載の画像形成装置。
　　【請求項１０】
　原稿を読み取る読取ユニットを有し、
　前記画像データは、前記原稿に基づいて生成される画像データであることを特徴とする請求項１乃至９のいずれか１項に記載の画像形成装置。
（本件第３補正後の特許請求の範囲）
　　【請求項１】
　シートに画像を形成する画像形成ユニットを有する画像形成装置であって、
　複数ページの画像データに基づき複数ページの画像をシートの一面に集約して
合成
　画像データに基づく画像にフォーム画像を合成するための合成設定を受け付ける処理と、
　前記集約設定と前記合成設定が指定されたことに基づいて、集約された前記複数ページの画像に跨ってフォーム画像が
合成
第１の
　前記集約設定と前記合成設定が指定されたことに基づいて、集約された前記複数ページのうちの一部のページ内のみにフォーム画像が
合成
第２の
　
前記第２の合成画像が表示された画面において操作者の所定の指示が入力された後に前記
第１の
　を実行する制御部を有することを特徴とする画像形成装置。
　　【請求項２】
　前記制御部は、前記集約設定と前記合成設定が指定された場合に、集約された前記複数ページの画像に跨ってフォーム画像が
合成
前記第１の
合成
前記第２の
　　【請求項３】
　前記制御部は、前記集約設定と前記合成設定が指定されたことに基づいて、集約された前記複数ページのうちの各ページにフォーム画像が合成された
第３の
　　【請求項４】
　合成するフォーム画像は第１のオブジェクトと第２のオブジェクトを含む複数のオブジェクトを備えることを特徴とする請求項1乃至３のいずれか１項に記載の画像形成装置。
　　【請求項５】
　前記制御部は、前記第１のオブジェクトのレイアウトを変更する操作と前記第２のオブジェクトのレイアウトを変更する操作をそれぞれ受け付けることを特徴とする請求項４に記載の画像形成装置。
　　【請求項６】
　前記制御部は、前記複数ページのうちの第１のページに前記第１のオブジェクトをレイアウトし且つ前記複数ページのうちの第２のページに前記第２のオブジェクトをレイアウトする操作に基づき、集約された前記複数ページの画像に跨ってフォーム画像がレイアウトされた合成画像を生成し、
　前記制御部は、前記複数ページのうちの前記第１のページに前記第１のオブジェクト及び前記第２のオブジェクトをレイアウトする操作に基づき、集約された前記複数ページのうちの一部のページ内のみにフォーム画像がレイアウトされた合成画像を生成することを特徴とする請求項５に記載の画像形成装置。
　　【請求項７】
　前記制御部は、前記複数ページのうちの前記第１のページに前記第１のオブジェクト及び前記第２のオブジェクトをレイアウトする操作を受け付けた後、前記第１のページにおける前記第１のオブジェクト及び前記第２のオブジェクトのレイアウトを他のページに適用する操作に基づき、集約された前記複数ページのうちの各ページにフォーム画像が合成された合成画像を生成する処理を実行することを特徴とする請求項
５
　　【請求項８】
　前記操作はユーザのタッチ動作に基づく操作であることを特徴とする請求項５乃至７のいずれか１項に記載の画像形成装置。
　　【請求項９】
　情報を表示する表示ユニットを有し、
　前記制御部は、合成画像のプレビュー画面を前記表示ユニットに表示させる処理を実行し、前記プレビュー画面の表示中において、前記操作を受け付けることを特徴とする請求項５乃至８のいずれか1項に記載の画像形成装置。
　　【請求項１０】
　原稿を読み取る読取ユニットを有し、
　前記画像データは、前記原稿に基づいて生成される画像データであることを特徴とする請求項１乃至９のいずれか１項に記載の画像形成装置。
（本件第３補正前の図１５）
（本件第３補正後の図１５）
２　補正の適合性
（１）本件第３補正の補正事項について
　本件第３補正は、以下の補正事項（以下、「補正事項１」という。）を含むものである。
（補正事項１）
　本件第３補正前の図１５（Ａ）の操作部１１０に表示される画面例の合成プレビュー画像表示領域に表示されている合成プレビュー画像を、本件第３補正後の図１５（Ａ）の合成プレビュー画像とする補正。
　ここで、本件第３補正後の図１５（Ａ）の合成プレビュー画像表示領域には、「Ａ」及び「Ｂ」からなる画像（以下、「原稿Ａ及び原稿Ｂが２ｉｎ１で集約された集約画像」という。）にフォーム画像が合成された合成プレビュー画像全体が、右に９０度回転された状態で表示されることが記載されている。
（２）当初明細書等に記載された事項
　本願の願書に最初に添付した明細書、特許請求の範囲又は図面（以下、「当初明細書等」という。）には、以下の記載がある。
　なお、下線は、強調のために当審で付したものである。
ア「【００５７】
　次いで、ＣＰＵ１０５はステップＳ５０５において作成した合成プレビュー画像を操作部１１０に表示する（ステップＳ５０６）。
図６（Ｂ）は、合成プレビュー画像の表示例を示す図である。また、図７は、原稿とフォーム画像とを示す図である。本実施の形態においては、図７に示されるように、原稿は原稿Ａ、原稿Ｂに示される画像を例として用いている。また、フォーム画像は図６に示されるフォーム画像を例として用いている。
イ「【００７７】
　図９において、操作部１１０は
タッチパネルでタッチを検知する
ステップＳ７０１
ステップＳ７０１での検知は２点検知とする
【００７８】
　次いで、
ピンチイン・ピンチアウト動作が行われたか否か判別する
ピンチイン・ピンチアウト動作が行われたときは
ウ「【００８８】
　図９の説明に戻り、算出された領域の組合わせが予め定められたパターンに該当するか否か判別する（ステップＳ７０５）。具体的には、ステップＳ７０４において算出された２つのタッチ検出点が属する領域の組み合わせをＮｉｎ１のレイアウト数と現在フォーム合成がされている領域によって予め決定されるパターンに該当するか否かを判別する。
【００８９】
　このパターンについて説明する。図１１は、予め決定されるパターンを示す図である。また、図１１（Ａ）は、図１０（Ａ）に示した２ｉｎ１設定時におけるパターン表を示す図である。図１１（Ｂ）は、４ｉｎ１設定時におけるパターン表を示す図である。
【００９０】
　今の場合、フォーム合成が印刷サイズの全面に対して適用されているため、図１１（Ａ）において、比較対象となるパターンは面指定において現在の適用面を除いたパターンとなる。従って、比較対象となるパターンはパターン１／２／４／５である。
【００９１】
　仮に現在適用されているフォーム合成の領域がＡ面である場合には、比較対象となるパターンはパターン３／４／５となる。
【００９２】
　そして、図１０（Ａ）ではタッチ検出点Ａが領域１、タッチ検出点Ｂが領域３であるため、図１１（Ａ）ではパターン２に該当することとなる。
【００９３】
　図９の説明に戻り、ステップＳ７０５の判別の結果、算出された領域の組合わせが予め定められたパターンに該当しないときは（ステップＳ７０５でＮＯ）、ステップＳ７０１に戻る。
【００９４】
　一方、ステップＳ７０５の判別の結果、算出された領域の組合わせが予め定められたパターンに該当するときは（ステップＳ７０５でＹＥＳ）、該当するレイアウト位置とレイアウトサイズを取得する（ステップＳ７０６）。
【００９５】
　例えば、図１０（Ａ）においてはパターン２に該当するため、
操作者が指定したい面は図１０（Ａ）でのＡ面であると判定する。よって、レイアウト位置はＡ面、レイアウトサイズは合成プレビュー画像表示領域の半分のサイズである図１０（Ａ）のＡ面のサイズである
【００９６】
　次いで、ステップＳ７０６において
取得したレイアウトサイズに応じてフォーム画像の低解像度画像を変倍する
【００９７】
　次に、ステップＳ７０６において
取得したレイアウト位置に応じてフォーム画像の低解像度画像の合成位置を変更する
作成されたフォーム画像の低解像度画像と合成位置に応じて、合成プレビュー画像を作成する
【００９８】
　次いで、ステップＳ７０９で作成された合成プレビュー画像を操作部１１０に表示する（ステップＳ７１０）。このステップＳ７１０は、第２合成手段、または第３合成手段により合成された画像を表示するように表示手段を制御する第２表示制御手段に対応する。」
エ「【０１０１】
　上記ステップＳ７０３の処理に戻り、ステップＳ７０３の判別の結果、ピンチイン・ピンチアウト動作が行われなかったときは（ステップＳ７０３でＮＯ）、
ローテーション動作が行われたか否か判別する
【０１０２】
　ステップＳ７１２の判別の結果、ローテーション動作が行われなかったときは（ステップＳ７１２でＮＯ）、ステップＳ７０１に戻る。
【０１０３】
　一方、ステップＳ７１２の判別の結果、
ローテーション動作が行われたときは
【０１０４】
　そして、
取得した回転情報に応じて、フォーム画像の低解像度画像を回転させる
【０１０５】
　そして、ステップＳ７１４で取得したレイアウト位置に応じてフォーム画像の合成位置を変更し（ステップＳ７０８）、上記ステップＳ７０９に進む。ここでのステップＳ７０９は、操作者の操作が、第２操作と判別されたときは、フォーム画像を回転するとともに操作対象となっている画像のサイズに変倍して操作者の操作対象となる画像に合成する第３合成手段に対応する。
【０１０６】
　なお、ローテーション動作時はフォーム合成の合成位置は変更されないため、ステップＳ７０８の処理が行われても変更前と変更後で合成位置は変わらない。
【０１０７】
　上記ステップＳ７０３，７１２は、操作者の操作が、現在操作者の操作対象となっている画像から、集約画像に含まれる複数の画像のいずれか１つの画像か集約画像全体に変更する第１操作か、現在操作者の操作対象となっている画像に合成されているフォーム画像を回転する第２操作か否かを判別する判別手段に対応する。また、上述したように、第１操作はタッチパネルに対するピンチインまたはピンチアウト操作であり、第２操作は、タッチパネルに対するローテーション操作である。」
オ「【０１２７】
　
図６（Ｃ）の画面で操作者はフォーム画像の左右端部をタッチして右９０度のローテーション操作を前述したタッチ操作により行う。操作部１１０には図１５（Ａ）のようなフォーム画像を右９０度に回転されたフォーム画像が合成されたプレビューが表示される。
【０１２８】
　
更に操作者はフォーム画像の左右端部をタッチしてピンチイン動作を前述したタッチ操作により行う。操作部には図１５（Ｂ）のようなフォーム画像がＡ面にのみ適用されたプレビュー画像が表示される。
カ「【図６】
」
キ「【図７】
」
ク「【図１５】
」
（３）補正事項１について
ア　補正事項１は、上記（１）のとおり、本件第３補正前の図１５（Ａ）の操作部１１０に表示される画面例の合成プレビュー画像表示領域に表示されている合成プレビュー画像を、本件第３補正後の図１５（Ａ）の合成プレビュー画像とする補正である。
　ここで、本件第３補正後の図１５（Ａ）の合成プレビュー画像表示領域には、「原稿Ａ及び原稿Ｂが２ｉｎ１で集約された集約画像」にフォーム画像が合成された合成プレビュー画像全体が、右に９０度回転された状態で表示されることが記載されている。
イ　補正事項１に関して、請求人は、平成３０年５月２８日付けの意見書において、「図１５（Ａ）の補正は、出願当初明細書の段落［０１２７］における「図６（Ｃ）の画面で…　…右９０度のローテーション操作を…　…行う。操作部１１０には図１５（Ａ）のようなフォーム画像を右９０度に回転されたフォーム画像が合成されたプレビューが表示される。」との記載に基づいています。」と主張している。
ウ　先ず、フォーム画像に対する「ローテーション操作」について検討する。
　上記イで請求人が主張する明細書の記載である上記（２）オによれば、図６（Ｃ）の画面での操作者による右９０度のローテーション操作によって、「操作部１１０には図１５（Ａ）のようなフォーム画像を右９０度に回転されたフォーム画像が合成されたプレビューが表示される。」と記載されている。
　また、ローテーション動作が操作者によって行われたときのフォーム画像編集処理に関する上記（２）エによれば、ローテーション動作が行われたときは、「フォーム画像の低解像度画像」を回転させることが記載されている。
　以上によると、当初明細書等には、ローテーション動作が行われたときに、「フォーム画像」を回転させることは記載されているといえる。
　しかしながら、当初明細書等には、「原稿Ａ及び原稿Ｂが２ｉｎ１で集約された集約画像」自体を右に９０度回転させて表示することは何ら記載されておらず、「原稿Ａ及び原稿Ｂが２ｉｎ１で集約された集約画像にフォーム画像が合成された合成プレビュー画像」全体を、右に９０度回転させて表示することも何ら記載されていない。
エ　次に、上記ウのローテーション操作後のフォーム画像に対する「ピンチイン動作」について検討する。
　フォーム画像編集処理のピンチイン動作に関する上記（２）イ及び上記（２）ウによれば、ピンチイン動作は、レイアウト位置とレイアウトサイズを取得して、フォーム画像の低解像度画像と「原稿Ａ及び原稿Ｂが２ｉｎ１で集約された集約画像」の合成画像を作成することが記載されている。しかしながら、ピンチイン動作によって、「原稿Ａ及び原稿Ｂが２ｉｎ１で集約された集約画像」を回転することについては何ら記載されていない。
　他方、上記（２）オによれば、「更に操作者はフォーム画像の左右端部をタッチしてピンチイン動作を前述したタッチ操作により行う。操作部には図１５（Ｂ）のようなフォーム画像がＡ面にのみ適用されたプレビュー画像が表示される。」と記載されているから、「原稿Ａ及び原稿Ｂが２ｉｎ１で集約された集約画像」は回転されることなく、「回転されたフォーム画像」が取得されたレイアウト位置とレイアウトサイズに従って合成された合成プレビュー画像が表示されることになる。
　とすると、本件第３補正後の図１５（Ａ）に記載の合成プレビュー画像表示領域に「原稿Ａ及び原稿Ｂが２ｉｎ１で集約された集約画像」が回転された状態の合成プレビュー画像が表示されることも、当初明細書等に記載されたものとはいえない。
オ　よって、補正事項１により補正された図１５（Ａ）は、当初明細書等に記載されたものではなく、当初明細書等から自明でもないから、当初明細書等のすべての記載を総合することにより導かれる技術的事項との関係において、新たな技術的事項を導入するものである。
　したがって、補正事項１に係る補正は、当初明細書等に記載された事項の範囲内においてするものとはいえず、特許法第１７条の２第３項に規定する要件を満たしていない。
３　むすび
　以上のとおり、本件第３補正は、特許法第１７条の２第３項の規定に違反してなされたものであるから、同法第１５９条第１項において読み替えて準用する同法第５３条第１項の規定により却下すべきものである。
　よって、上記補正の却下の決定の結論のとおり決定する。
第３　本願発明について
１　本願発明
　平成３０年５月２８日付けの手続補正は上記のとおり却下されたので、本願の請求項に係る発明は、上記第２の１に示した（本件第３補正前の特許請求の範囲）に記載のとおり、平成２９年８月８日付けの手続補正により補正された特許請求の範囲の請求項１ないし１０に記載された事項により特定されるものである。
２　当審における拒絶の理由
　当審における拒絶の理由のうちの理由２及び理由３は、概略、以下のとおりである。
（理由１、４、５は省略する）
理由２．（新規事項）平成２８年１２月５日付けでした手続補正ならびに平成２９年８月８日付けでした手続補正により特許請求の範囲に追加された請求項４〜９の記載事項は、願書に最初に添付した明細書又は図面に記載した事項の範囲内においてしたものでないから、特許法第１７条の２第３項に規定する要件を満たしていない。
理由３．（サポート要件）この出願は、特許請求の範囲の請求項４〜９の記載が発明の詳細な説明に記載したものでなく、特許法第３６条第６項第１号に規定する要件を満たしていない。
３　理由２（新規事項）についての判断
（１）平成２８年１２月５日付けでした手続補正ならびに平成２９年８月８日付けでした手続補正の内容
　平成２８年１２月５日付けの手続補正（以下、「本件第１補正」という。）は、以下に示すように、平成２７年１０月２１日付けの手続補正により補正された特許請求の範囲の請求項１ないし７を、本件第１補正による補正後の請求項１ないし１０に補正するものであり、平成２９年８月８日付けの手続補正（以下、「本件第２補正」という。）は、以下に示すように、本件第１補正により補正された特許請求の範囲の請求項１ないし１０を、本件第２補正による補正後の請求項１ないし１０に補正するものである（下線は補正箇所を示す。）。
（本件第１補正前の特許請求の範囲）
　　【請求項１】
　複数の画像データを１ページに集約した集約画像を印刷することを指示する集約印刷設定をユーザから受け付ける第１の受付手段と、
　画像データとフォーム画像を合成した合成画像を印刷することを指示する合成印刷設定をユーザから受け付ける第２の受付手段と、
　前記第１の受付手段が前記集約印刷設定を受け付け、かつ、前記第２の受付手段が前記合成印刷設定を受け付けた場合に、前記集約画像に１つのフォーム画像をレイアウトする第１のレイアウト処理、及び前記複数の画像データのそれぞれにフォーム画像をレアイウトする第２のレイアウト処理のいずれかを選択する選択手段と、
　前記選択手段によって選択されたレイアウト処理によって生成された画像を印刷する印刷手段とを備えることを特徴とする画像処理装置。
　　【請求項２】
　画像データを所定の範囲内で繰り返し配置して印刷することを指示するリピート印刷設定をユーザから受け付ける第１の受付手段と、
　画像データとフォーム画像を合成した合成画像を印刷することを指示する合成印刷設定をユーザから受け付ける第２の受付手段と、
　前記第１の受付手段が前記リピート印刷設定を受け付け、かつ、前記第２の受付手段が前記合成印刷設定を受け付けた場合に、画像データを繰り返し配置した後の画像全体に１つのフォーム画像をレイアウトする第１のレイアウト処理、及び繰り返し配置されている画像データのそれぞれにフォーム画像をレイアウトする第２のレイアウト処理のいずれかを選択する選択手段と、
　前記選択手段によって選択されたレイアウト処理によって生成された画像を印刷する印刷手段とを備えることを特徴とする画像処理装置。
　　【請求項３】
　原稿を読み取る読取手段を更に備え、
　前記画像データは、前記原稿に基づいて生成される画像データであることを特徴とする請求項１又は２に記載の画像処理装置。
　　【請求項４】
　前記選択手段は、ユーザ指示に従って、前記第１のレイアウト処理と前記第２のレイアウト処理のいずれかを選択することを特徴とする請求項１乃至３のいずれか１項に記載の画像処理装置。
　　【請求項５】
　複数の画像データを１ページに集約した集約画像を印刷することを指示する集約印刷設定をユーザから受け付ける第１の受付ステップと、
　画像データとフォーム画像を合成した合成画像を印刷することを指示する合成印刷設定をユーザから受け付ける第２の受付ステップと、
　前記第１の受付ステップで前記集約印刷設定を受け付け、かつ、前記第２の受付ステップで前記合成印刷設定を受け付けた場合に、前記集約画像に１つのフォーム画像をレイアウトする第１のレイアウト処理、及び前記複数の画像データのそれぞれにフォーム画像をレアイウトする第２のレイアウト処理のいずれかを選択する選択ステップとを有することを特徴とする画像処理設定方法。
　　【請求項６】
　画像データを１ページの範囲内で繰り返し配置して印刷することを指示するリピート印刷設定をユーザから受け付ける第１の受付ステップと、
　画像データとフォーム画像を合成した合成画像を印刷することを指示する合成印刷設定をユーザから受け付ける第２の受付ステップと、
　前記第１の受付ステップで前記リピート印刷設定を受け付け、かつ、前記第２の受付ステップで前記合成印刷設定を受け付けた場合に、画像データを繰り返し配置した後の画像全体に１つのフォーム画像をレイアウトする第１のレイアウト処理、及び繰り返し配置されている画像データのそれぞれにフォーム画像をレイアウトする第２のレイアウト処理のいずれかを選択する選択ステップとを有することを特徴とする画像処理設定方法。
　　【請求項７】
　請求項５又は６に記載の画像処理設定方法をコンピュータに実行させるためのプログラム。
（本件第１補正後の特許請求の範囲）
　　【請求項１】
　
シートに画像を形成する画像形成ユニットを有する画像形成装置であって、
　複数
ページ
に基づき複数
の画像をシートの一面に
してレイアウトするための
約設
を受
処理
　画像データ
に基づく画像に
を
するための
成設
を受
処理
　
前
約設
と
成設
が指定されたことに基づいて、集約された前記複数ページの画像に跨って
が
された合成画像を生成する処理と、
　
前記集約設定と前記合成設定が指定されたことに基づいて、集約された前記複数ページのうちの一部のページ内に
が
された合成画像を生成する処理と、
　
生成された合成画像に基づいて前記画像形成ユニットに画像形成させる処理と、
　
を実行する制御部を有する
画像形成装置
　　【請求項２】
　
前記制御部は、前記集約設定と前記合成設定が指定された場合に、集約された前記複数ページの画像に跨ってフォーム画像がレイアウトされた合成画像と、集約された前記複数ページのうちの一部のページ内にフォーム画像がレイアウトされた合成画像と、を含む複数の合成画像の中から画像形成に用いる合成画像の選択を受け付けることを特徴とする請求項１に記載の画像形成装置。
　　【請求項３】
　
前記制御部は、前記集約設定と前記合成設定が指定されたことに基づいて、集約された前記複数ページのうちの各ページにフォーム画像が合成された合成画像を生成する処理を実行することを特徴とする請求項１又は２に記載の画像形成装置。
　　【請求項４】
　
合成するフォーム画像は第１のオブジェクトと第２のオブジェクトを含む複数のオブジェクトを備えることを特徴とする請求項1乃至３のいずれか１項に記載の画像形成装置。
　　【請求項５】
　
前記制御部は、前記第１のオブジェクトのレイアウトを変更する操作と前記第２のオブジェクトのレイアウトを変更する操作をそれぞれ受け付けることを特徴とする請求項４に記載の画像形成装置。
　　【請求項６】
　
前記制御部は、前記複数ページのうちの第１のページに前記第１のオブジェクトをレイアウトし且つ前記複数ページのうちの第２のページに前記第２のオブジェクトをレイアウトする操作に基づき、集約された前記複数ページの画像に跨ってフォーム画像がレイアウトされた合成画像を生成し、
　
前記制御部は、前記複数ページのうちの前記第１のページに前記第１のオブジェクト及び前記第２のオブジェクトをレイアウトする操作に基づき、集約された前記複数ページのうちの一部のページ内にフォーム画像がレイアウトされた合成画像を生成することを特徴とする請求項５に記載の画像形成装置。
　　【請求項７】
　
前記制御部は、前記複数ページのうちの前記第１のページに前記第１のオブジェクト及び前記第２のオブジェクトをレイアウトする操作を受け付けた後、前記第１のページにおける前記第１のオブジェクト及び前記第２のオブジェクトのレイアウトを他のページに適用する操作に基づき、集約された前記複数ページのうちの各ページにフォーム画像が合成された合成画像を生成する処理を実行することを特徴とする請求項1乃至６のいずれか１項に記載の画像形成装置。
　　【請求項８】
　
前記操作はユーザのタッチ動作に基づく操作であることを特徴とする請求項５乃至７のいずれか１項に記載の画像形成装置。
　　【請求項９】
　
情報を表示する表示ユニットを有し、
　
前記制御部は、合成画像のプレビュー画面を前記表示ユニットに表示させる処理を実行し、前記プレビュー画面の表示中において、前記操作を受け付けることを特徴とする請求項５乃至８のいずれか1項に記載の画像形成装置。
　　【請求項１０】
　原稿を読み取る読取
ユニットを有し
　前記画像データは、前記原稿に基づいて生成される画像データであることを特徴とする
請求項１
乃至９のいずれか１項
（本件第２補正後の特許請求の範囲）
　　【請求項１】
　シートに画像を形成する画像形成ユニットを有する画像形成装置であって、
　複数ページの画像データに基づき複数ページの画像をシートの一面に集約してレイアウトするための集約設定を受け付ける処理と、
　画像データに基づく画像にフォーム画像を合成するための合成設定を受け付ける処理と、
　前記集約設定と前記合成設定が指定されたことに基づいて、集約された前記複数ページの画像に跨ってフォーム画像がレイアウトされた合成画像を生成する処理と、
　前記集約設定と前記合成設定が指定されたことに基づいて、集約された前記複数ページのうちの一部のページ内
のみ
　生成された合成画像に基づいて前記画像形成ユニットに画像形成させる処理と、
　を実行する制御部を有することを特徴とする画像形成装置。
　　【請求項２】
　前記制御部は、前記集約設定と前記合成設定が指定された場合に、集約された前記複数ページの画像に跨ってフォーム画像がレイアウトされた合成画像と、集約された前記複数ページのうちの一部のページ内
のみ
　　【請求項３】
　前記制御部は、前記集約設定と前記合成設定が指定されたことに基づいて、集約された前記複数ページのうちの各ページにフォーム画像が合成された合成画像を生成する処理を実行することを特徴とする請求項１又は２に記載の画像形成装置。
　　【請求項４】
　合成するフォーム画像は第１のオブジェクトと第２のオブジェクトを含む複数のオブジェクトを備えることを特徴とする請求項1乃至３のいずれか１項に記載の画像形成装置。
　　【請求項５】
　前記制御部は、前記第１のオブジェクトのレイアウトを変更する操作と前記第２のオブジェクトのレイアウトを変更する操作をそれぞれ受け付けることを特徴とする請求項４に記載の画像形成装置。
　　【請求項６】
　前記制御部は、前記複数ページのうちの第１のページに前記第１のオブジェクトをレイアウトし且つ前記複数ページのうちの第２のページに前記第２のオブジェクトをレイアウトする操作に基づき、集約された前記複数ページの画像に跨ってフォーム画像がレイアウトされた合成画像を生成し、
　前記制御部は、前記複数ページのうちの前記第１のページに前記第１のオブジェクト及び前記第２のオブジェクトをレイアウトする操作に基づき、集約された前記複数ページのうちの一部のページ内
のみ
　　【請求項７】
　前記制御部は、前記複数ページのうちの前記第１のページに前記第１のオブジェクト及び前記第２のオブジェクトをレイアウトする操作を受け付けた後、前記第１のページにおける前記第１のオブジェクト及び前記第２のオブジェクトのレイアウトを他のページに適用する操作に基づき、集約された前記複数ページのうちの各ページにフォーム画像が合成された合成画像を生成する処理を実行することを特徴とする請求項1乃至６のいずれか１項に記載の画像形成装置。
　　【請求項８】
　前記操作はユーザのタッチ動作に基づく操作であることを特徴とする請求項５乃至７のいずれか１項に記載の画像形成装置。
　　【請求項９】
　情報を表示する表示ユニットを有し、
　前記制御部は、合成画像のプレビュー画面を前記表示ユニットに表示させる処理を実行し、前記プレビュー画面の表示中において、前記操作を受け付けることを特徴とする請求項５乃至８のいずれか1項に記載の画像形成装置。
　　【請求項１０】
　原稿を読み取る読取ユニットを有し、
　前記画像データは、前記原稿に基づいて生成される画像データであることを特徴とする請求項１乃至９のいずれか１項に記載の画像形成装置。
（２）補正の適合性
ア　本件第１補正及び本件第２補正の補正事項について
　本件第１補正及び本件第２補正は、以下の補正事項（以下、「補正事項２」という。）を含むものである。
（補正事項２）
　請求項４に、「合成するフォーム画像は第１のオブジェクトと第２のオブジェクトを含む複数のオブジェクトを備えることを特徴とする請求項1乃至３のいずれか１項に記載の画像形成装置。」、
　請求項５に、「前記制御部は、前記第１のオブジェクトのレイアウトを変更する操作と前記第２のオブジェクトのレイアウトを変更する操作をそれぞれ受け付けることを特徴とする請求項４に記載の画像形成装置。」、
　請求項６に、「前記制御部は、前記複数ページのうちの第１のページに前記第１のオブジェクトをレイアウトし且つ前記複数ページのうちの第２のページに前記第２のオブジェクトをレイアウトする操作に基づき、集約された前記複数ページの画像に跨ってフォーム画像がレイアウトされた合成画像を生成し、前記制御部は、前記複数ページのうちの前記第１のページに前記第１のオブジェクト及び前記第２のオブジェクトをレイアウトする操作に基づき、集約された前記複数ページのうちの一部のページ内にフォーム画像がレイアウトされた合成画像を生成することを特徴とする請求項５に記載の画像形成装置。」という記載を追加する補正。
イ　補正事項２について
　補正事項２のうち、請求項５に対する補正について検討する。
（ア）補正事項２による補正後の請求項４及び請求項５の「第１のオブジェクト」及び「第２のオブジェクト」に関して、請求人は、平成２８年１２月５日付けの意見書において、「補正後請求項４における「合成するフォーム画像は第１のオブジェクトと第２のオブジェクトを含む複数のオブジェクトを備える」との補正は、出願当初明細書の段落［００５７］、図６、図７に基づく補正です。」と主張している。
　また、請求人は、平成２８年１２月５日付けの意見書において、「補正後請求項５における「前記制御部は、前記第１のオブジェクトのレイアウトを変更する操作と前記第２のオブジェクトのレイアウトを変更する操作をそれぞれ受け付ける」との補正は、出願当初明細書の段落［０１２７］、段落［０１２８］に基づく補正です。」と主張している。
（イ）先ず、「第１のオブジェクト」及び「第２のオブジェクト」について検討する。
　上記（ア）で請求人が主張する明細書の記載である上記第２の２（２）ア、上記第２の２（２）カ及び上記第２の２（２）キによれば、フォーム画像が、「ＸＸＸ株式会社」、「ＣＯＮＦＩＤＥＮＴＩＡＬ」という２つの文字列を含むことが記載されているから、当該２つの文字列は、補正事項２による補正後の請求項４及び請求項５における「第１のオブジェクト」及び「第２のオブジェクト」に、それぞれ対応し得るものといえる。
（ウ）次に、「第１のオブジェクトのレイアウトを変更する操作」と「第２のオブジェクトのレイアウトを変更する操作」を「それぞれ受け付ける」ことについて検討する。
　補正事項２による補正後の請求項５における「第１のオブジェクトのレイアウトを変更する操作」と「第２のオブジェクトのレイアウトを変更する操作」を「それぞれ受け付ける」は、少なくとも、以下のａ及びｂの二通りに解釈できる。
ａ　「第１のオブジェクト」である「ＸＸＸ株式会社」という文字列のレイアウトを変更する操作である「第１のオブジェクトのレイアウトを変更する操作」と、「第２のオブジェクト」である「ＣＯＮＦＩＤＥＮＴＩＡＬ」という文字列のレイアウトを変更する操作である「第２のオブジェクトのレイアウトを変更する操作」という２つの操作を受け付けること。
ｂ　「第１のオブジェクトのレイアウトを変更する操作」は、操作者がフォーム画像の左右端部をタッチして「ローテーション動作」または「ピンチイン・ピントアウト動作」をするときの一方のタッチであり、「第２のオブジェクトのレイアウトを変更する操作」は、他方のタッチであり、これらの２つのタッチを受け付けること。
（エ）先ず、上記（ウ）ａの解釈をした場合について検討する。
　上記（ア）で請求人が主張する明細書の記載である上記第２の２（２）オによれば、図６（Ｃ）の画面での操作者による右９０度のローテーション操作によって、「操作部１１０には図１５（Ａ）のようなフォーム画像を右９０度に回転されたフォーム画像が合成されたプレビューが表示される」こと、及び、当該ローテーション操作後の操作者によるフォーム画像に対するピンチイン動作によって、「操作部には図１５（Ｂ）のようなフォーム画像がＡ面にのみ適用されたプレビュー画像が表示される」ことが記載されている。
　また、上記第２の２（２）エによれば、ローテーション動作が行われたときは、「フォーム画像の低解像度画像」を回転させると記載されている。
　また、上記第２の２（２）イ及び上記第２の２（２）ウによれば、ピンチイン・ピンチアウト動作は、レイアウト位置とレイアウトサイズを取得して、フォーム画像の低解像度画像と「原稿Ａ及び原稿Ｂが２ｉｎ１で集約された集約画像」の合成画像を作成することが記載されている。
　そして、上記（イ）のとおり、フォーム画像は、「ＸＸＸ株式会社」、「ＣＯＮＦＩＤＥＮＴＩＡＬ」という２つの文字列を含むのであるから、「ローテーション動作」という１つの操作により、「第１のオブジェクト」である「ＸＸＸ株式会社」という文字列と、「第２のオブジェクト」である「ＣＯＮＦＩＤＥＮＴＩＡＬ」という文字列のレイアウトを変更しているといえる。
　しかしながら、「ローテーション動作」は１つの操作であって、２つの操作ではないから、「第１のオブジェクトのレイアウトを変更する操作」と「第２のオブジェクトのレイアウトを変更する操作」に対応するものとはいえない。
　また、「ローテーション動作」と同様に、「ピンチイン・ピンチアウト動作」も１つの操作であって、２つの操作ではないから、「第１のオブジェクトのレイアウトを変更する操作」と「第２のオブジェクトのレイアウトを変更する操作」に対応するものとはいえない。
　よって、上記（ウ）ａの解釈をした場合、「第１のオブジェクトのレイアウトを変更する操作」と、「第２のオブジェクトのレイアウトを変更する操作」を、「それぞれ受け付ける」ことは、当初明細書等に記載されたものとはいえない。
（オ）次に、上記（ウ）ｂの解釈をした場合について検討する。
　上記第２の２（２）イ及び上記第２の２（２）エによれば、タッチパネルで２点のタッチを検知すると、ピンチイン・ピンチアウト動作またはローテーション動作が行われたか否かを判別することが記載されている。
　また、上記（エ）のとおり、ローテーション動作が行われたときは、「フォーム画像の低解像度画像」を回転させ、ピンチイン・ピンチアウト動作は、レイアウト位置とレイアウトサイズを取得して、フォーム画像の低解像度画像と「原稿Ａ及び原稿Ｂが２ｉｎ１で集約された集約画像」の合成画像を作成するものである。
　そして、上記（イ）のとおり、フォーム画像は、「ＸＸＸ株式会社」、「ＣＯＮＦＩＤＥＮＴＩＡＬ」という２つの文字列を含むのであるから、２点のタッチを検知すると、「ピンチイン・ピンチアウト動作」または「ローテーション動作」により、「第１のオブジェクト」である「ＸＸＸ株式会社」という文字列と、「第２のオブジェクト」である「ＣＯＮＦＩＤＥＮＴＩＡＬ」という文字列のレイアウトを変更しているといえる。
　しかしながら、当初明細書等には、２点のタッチのうちの一方が「第１のオブジェクト」である「ＸＸＸ株式会社」という文字列のレイアウトを変更する操作であることは記載されておらず、２点のタッチのうちの他方が「第２のオブジェクト」である「ＣＯＮＦＩＤＥＮＴＩＡＬ」という文字列のレイアウトを変更する操作であることも記載されていない。
　また、当初明細書等には、１点のタッチを検知した場合に、「第１のオブジェクト」である「ＸＸＸ株式会社」という文字列、または、「第２のオブジェクト」である「ＣＯＮＦＩＤＥＮＴＩＡＬ」という文字列のレイアウトを変更することも何ら記載されていない。
　したがって、操作者がフォーム画像の左右端部をタッチしてローテーション操作またはピンチイン・ピントアウト動作をするときの一方のタッチが「第１のオブジェクトのレイアウトを変更する操作」であり、他方のタッチが「第２のオブジェクトのレイアウトを変更する操作」であるともいえない。
　よって、上記（ウ）ｂの解釈をした場合も、「第１のオブジェクトのレイアウトを変更する操作」と、「第２のオブジェクトのレイアウトを変更する操作」を、「それぞれ受け付ける」ことは、当初明細書等に記載されたものとはいえない。
（カ）以上によると、補正事項２により追加された請求項５の「第１のオブジェクトのレイアウトを変更する操作」と、「第２のオブジェクトのレイアウトを変更する操作」を、「それぞれ受け付ける」という記載は、当初明細書等に記載されたものではなく、当初明細書等から自明でもないから、当初明細書等のすべての記載を総合することにより導かれる技術的事項との関係において、新たな技術的事項を導入するものである。
　したがって、補正事項２に係る補正は、当初明細書等に記載された事項の範囲内においてするものとはいえず、特許法第１７条の２第３項に規定する要件を満たしていない。
４　理由３（サポート要件）についての判断
　上記３で述べたとおり、本件第２補正による補正後の請求項５の「前記制御部は、前記第１のオブジェクトのレイアウトを変更する操作と前記第２のオブジェクトのレイアウトを変更する操作をそれぞれ受け付ける」という記載は、当初明細書等に記載されたものでないから、発明の詳細な説明に記載されたものとはいえない。
　よって、本願の請求項５に係る発明は、発明の詳細な説明に記載したものでない。
第４　むすび
　以上のとおり、平成２８年１２月５日付けでした手続補正ならびに平成２９年８月８日付けでした手続補正は、願書に最初に添付した明細書、特許請求の範囲又は図面に記載した事項の範囲内においてしたものでないから、特許法第１７条の２第３項に規定する要件を満たしていない。
　また、この出願は、特許請求の範囲の記載が特許法第３６条第６項第１号に規定する要件を満たしていない。
　したがって、本願は、その余の理由について検討するまでもなく、拒絶をすべきものである。
　よって、結論のとおり審決する。